(57)【要約】      （修正有）【課題】配線変更をせずに対地間絶縁抵抗測定と相間絶縁抵抗測定を実施する。【解決手段】配線切替器１は、一端をフィルタ側端子群２０に接続されて対地又は相間を切替る対地・相間選択スイッチ４０と、他端を絶縁抵抗計側端子３０に接続されて絶縁抵抗計に導通させるメガリングフィルタを切替るＭＦ選択スイッチ５０を備える。切替スイッチ５１は、一端を対地・相間選択スイッチ４０に、他端を絶縁抵抗計側アース端子３０Ｅに接続され、切替スイッチ５２は、一端をフィルタ側ライン端子２１Ｌ，２２Ｌに、他端を絶縁抵抗計側ライン端子３０Ｌに接続される。対地・相間選択スイッチ４０が「対地」の場合は、一のメガリングフィルタに接続されたフィルタ側端子を絶縁抵抗計側端子３０に導通させ、対地・相間選択スイッチ４０が「相間」の場合は、異なるメガリングフィルタに接続されたフィルタ側端子を絶縁抵抗計側端子３０に導通させる。【選択図】図２
2020134358.tif 000002
【特許請求の範囲】
【請求項１】
接地点に接続されるアース側リード線、及び、抵抗を介して架線と接続されるライン側リード線を備えた複数のメガリングフィルタと、前記架線と大地との間又は２本の前記架線間における絶縁抵抗を測定する絶縁抵抗計と、の間に挿入される配線切替器であって、
前記各メガリングフィルタの前記アース側リード線と接続される複数のフィルタ側アース端子と、
前記各メガリングフィルタの前記ライン側リード線と接続される複数のフィルタ側ライン端子と、
前記絶縁抵抗計のアース接続部と接続される絶縁抵抗計側アース端子と、
前記絶縁抵抗計のライン接続部と接続される絶縁抵抗計側ライン端子と、
前記絶縁抵抗計側アース端子と前記絶縁抵抗計側ライン端子とに対して、夫々、前記各フィルタ側アース端子と前記各フィルタ側ライン端子との中から一の端子を選択的に導通させる接続選択スイッチと、を備え、
前記接続選択スイッチは、一の前記メガリングフィルタに接続された前記フィルタ側アース端子と前記フィルタ側ライン端子とを夫々前記絶縁抵抗計側アース端子と前記絶縁抵抗計側ライン端子に導通させるか、又は、一の前記メガリングフィルタに接続された前記フィルタ側ライン端子と他の前記メガリングフィルタに接続された前記フィルタ側ライン端子とを夫々前記絶縁抵抗計側アース端子と前記絶縁抵抗計側ライン端子に導通させるか、を切り替えることを特徴とする配線切替器。
【請求項２】
前記接続選択スイッチは、一端を前記各フィルタ側アース端子と前記各フィルタ側ライン端子とに接続されて、対地接続又は相間接続を切り替える対地・相間選択スイッチと、他端を前記絶縁抵抗計側アース端子と前記絶縁抵抗計側ライン端子とに接続されて、前記絶縁抵抗計に対して何れのメガリングフィルタを接続するかを切り替えるメガリングフィルタ選択スイッチと、を備えることを特徴とする請求項１に記載の配線切替器。
【請求項３】
前記メガリングフィルタ選択スイッチは、一端を前記対地・相間選択スイッチに接続されて、他端を前記絶縁抵抗計側アース端子又は前記絶縁抵抗計側ライン端子に接続された第一メガリングフィルタ切替スイッチと、一端を前記各フィルタ側ライン端子又は前記各フィルタ側アース端子に接続されて、他端を前記絶縁抵抗計側ライン端子又は前記絶縁抵抗計側アース端子に接続された第二メガリングフィルタ切替スイッチと、を備え、
前記対地・相間選択スイッチは、前記対地接続を選択された場合に前記第二メガリングフィルタ切替スイッチの一端に接続された種別の端子と異なる種別の端子を前記第一メガリングフィルタ切替スイッチに導通させ、前記相間接続を選択された場合に前記第二メガリングフィルタ切替スイッチの一端に接続された種別の端子と同一種別の端子を前記第一メガリングフィルタ切替スイッチに導通させることを特徴とする請求項２に記載の配線切替器。
【請求項４】
前記対地・相間選択スイッチは、並列に配置され、且つ互いに連動する複数の対地・相間切替スイッチを備えており、
前記各対地・相間切替スイッチの一端は、互いに異なるメガリングフィルタを接続する前記フィルタ側アース端子と前記フィルタ側ライン端子とに導通していることを特徴とする請求項２又は３に記載の配線切替器。
【請求項５】
請求項１乃至４の何れか一項に記載の配線切替器と、前記絶縁抵抗計とを備えることを特徴とする絶縁抵抗測定装置。
【発明の詳細な説明】
【技術分野】
【０００１】
本発明は、メガリングフィルタと絶縁抵抗計との間に挿入される配線切替器、又は配線切替器と絶縁抵抗計とを備える絶縁抵抗測定装置に関し、特に、メガリングフィルタと絶縁抵抗計との間の配線変更に係る作業を容易に実施可能とする配線切替器、及び絶縁抵抗測定装置に関する。
【背景技術】
【０００２】
メガリングフィルタは、平行多回線送電線（架空送電線、又は地中送電線）において絶縁抵抗を測定する場合に、活線状態にある他回線からの誘導電圧を低減させ、安全に絶縁抵抗を測定するために、送電線路と絶縁抵抗計との間に挿入されるフィルタ手段である。
【０００３】
図８（ａ）はメガリングフィルタの外観構成を示す概略図であり、（ｂ）はメガリングフィルタの回路図である。
図８（ａ）に示すように、メガリングフィルタ１００は、絶縁棒１０１と、絶縁棒１０１の長手方向の一端から突出して測定対象線路１５０に係止されるフック状の架線用端子１０３と、絶縁棒の長手方向の他端から取り出された３つの端子（接地端子１０５、アース側リード線１０７Ｅ、及びライン側リード線１０７Ｌ）とを備える。
接地端子１０５は、ワニ口クリップやアースフック等により構成されており、鉄鋼等のアースされている箇所に電気的に接続される。アース側リード線１０７Ｅは絶縁抵抗計２００のアース接続部２０１Ｅに接続され、ライン側リード線１０７Ｌは絶縁抵抗計２００のライン接続部２０１Ｌに接続される。
図８（ｂ）に示すように、メガリングフィルタ１００は、架線用端子１０３とライン側リード線１０７Ｌとの間に抵抗Ｒ１、Ｒ２、Ｒ３、Ｒが直列接続された構成を有する。抵抗Ｒ１と抵抗Ｒ２との結節点１１１と接地端子１０５との間にはキャパシタＣ１が、抵抗Ｒ２と抵抗Ｒ３との結節点１１３と接地端子１０５との間にはキャパシタＣ２が、抵抗Ｒ３と抵抗Ｒとの結節点１１５と接地端子１０５との間にはキャパシタＣが接続されている。また、アース側リード線１０７Ｅは接地端子１０５に接続されている。
メガリングフィルタ１００の合成抵抗Ｒ１＋Ｒ２＋Ｒ３＋Ｒは、例えば２メグオームである。
【０００４】
図９（ａ）、（ｂ）は、メガリングフィルタと絶縁抵抗計を用いた従来の絶縁抵抗の測定方法を示す模式図である。図９（ａ）は対地間における絶縁抵抗の測定方法を示し、（ｂ）は相間における絶縁抵抗の測定方法を示す。
【０００５】
図９（ａ）に示すように、測定対象線路１５０と大地との間における絶縁抵抗を測定する場合は、１本のメガリングフィルタ１００を使用する。まず、メガリングフィルタ１００のライン側リード線１０７Ｌとアース側リード線１０７Ｅとを夫々、絶縁台２１０に載置された絶縁抵抗計２００のライン接続部２０１Ｌとアース接続部２０１Ｅに接続し、接地端子１０５を接地する。フック状の架線用端子１０３を測定対象線路１５０に係止することにより、架線用端子１０３を測定対象線路１５０に電気的に接続して、絶縁抵抗計２００から所定の電圧を印加することにより絶縁抵抗を測定する。
図９（ｂ）に示すように、２つの測定対象線路１５０Ａ、１５０Ｂ間における絶縁抵抗を測定する場合は、２本のメガリングフィルタ１００Ａ、１００Ｂを使用する。まず、一方のメガリングフィルタ１００Ａのアース側リード線１０７Ｅを絶縁抵抗計２００のアース接続部２０１Ｅに、他方のメガリングフィルタ１００Ｂのアース側リード線１０７Ｅをライン接続部２０１Ｌに接続する。両メガリングフィルタ１００Ａ、１００Ｂの接地端子１０５、１０５を接地する。両メガリングフィルタ１００Ａ、１００Ｂのライン側リード線１０７Ｌ、１０７Ｌは開放しておく。両メガリングフィルタ１００Ａ、１００Ｂのフック状の架線用端子１０３、１０３を測定対象線路１５０Ａ、１５０Ｂに夫々係止することにより、架線用端子１０３、１０３を測定対象線路１５０Ａ、１５０Ｂに電気的に接続して、絶縁抵抗計２００から所定の電圧を印加することにより絶縁抵抗を測定する。
このように、対地間における絶縁抵抗測定時と、相間における絶縁抵抗測定時とでは、使用するメガリングフィルタの個数も回路構成も異なっており、配線変更が必要であった。また、高電圧を取り扱う作業となるため、感電事故を防止するために、作業を慎重に執り行う必要があった。
【０００６】
特許文献１には、メガリングフィルタを使用した送電線の絶縁抵抗測定に使用される絶縁抵抗測定器が記載されている。この絶縁抵抗測定器は、メガリングフィルタと絶縁抵抗計本体との間に配置されると共に、絶縁抵抗計本体に対して着脱自在に接続される端子部を備える。端子部は、一方の端部に絶縁抵抗計本体に接続される２つの本体接続端子を備える。また、端子部は、他方の端部にメガリングフィルタの端子と接続されると共に本体接続端子と夫々導通した２つの接続端子と、メガリングフィルタの端子を一時的に仮留めして開放状態に維持する２つの開放用端子と、を備える。
【先行技術文献】
【特許文献】
【０００７】
【特許文献１】特開２０１２−２３７７３１公報
【発明の概要】
【発明が解決しようとする課題】
【０００８】
特許文献１に記載の絶縁抵抗測定器においては、対地間における絶縁抵抗の測定をする場合と、相間における絶縁抵抗の測定をする場合とで、配線変更が必要であることに変わりはない。
本発明は上述の事情に鑑みてなされたものであり、配線変更をせずに対地間における絶縁抵抗測定と、相間における絶縁抵抗測定を実施可能にすることを目的とする。
【課題を解決するための手段】
【０００９】
上記の課題を解決するために、本発明は、接地点に接続されるアース側リード線、及び、抵抗を介して架線と接続されるライン側リード線を備えた複数のメガリングフィルタと、前記架線と大地との間又は２本の前記架線間における絶縁抵抗を測定する絶縁抵抗計と、の間に挿入される配線切替器であって、前記各メガリングフィルタの前記アース側リード線と接続される複数のフィルタ側アース端子と、前記各メガリングフィルタの前記ライン側リード線と接続される複数のフィルタ側ライン端子と、前記絶縁抵抗計のアース接続部と接続される絶縁抵抗計側アース端子と、前記絶縁抵抗計のライン接続部と接続される絶縁抵抗計側ライン端子と、前記絶縁抵抗計側アース端子と前記絶縁抵抗計側ライン端子とに対して、夫々、前記各フィルタ側アース端子と前記各フィルタ側ライン端子との中から一の端子を選択的に導通させる接続選択スイッチと、を備え、前記接続選択スイッチは、一の前記メガリングフィルタに接続された前記フィルタ側アース端子と前記フィルタ側ライン端子とを夫々前記絶縁抵抗計側アース端子と前記絶縁抵抗計側ライン端子に導通させるか、又は、一の前記メガリングフィルタに接続された前記フィルタ側ライン端子と他の前記メガリングフィルタに接続された前記フィルタ側ライン端子とを夫々前記絶縁抵抗計側アース端子と前記絶縁抵抗計側ライン端子に導通させるか、を切り替えることを特徴とする。
【発明の効果】
【００１０】
本発明によれば、配線変更をせずに対地間における絶縁抵抗測定と、相間における絶縁抵抗測定を実施可能となる。
【図面の簡単な説明】
【００１１】
【図１】本発明の第一の実施形態に係る配線切替器の外観構成を示す模式図である。
【図２】本発明の第一の実施形態に係る配線切替器の回路図である。
【図３】（ａ）〜（ｄ）は、配線切替器の導通相関表を示す図である。
【図４】（ａ）、（ｂ）は、本発明の一実施形態に係る配線切替器を用いた絶縁抵抗の測定方法を示す模式図である。
【図５】本発明の第二の実施形態に係る配線切替器の外観構成を示す模式図である。
【図６】本発明の第二の実施形態に係る配線切替器の回路図である。
【図７】（ａ）〜（ｆ）は、配線切替器の導通相関表を示す図である。
【図８】（ａ）はメガリングフィルタの外観構成を示す概略図であり、（ｂ）はメガリングフィルタの回路図である。
【図９】（ａ）、（ｂ）は、メガリングフィルタと絶縁抵抗計を用いた従来の絶縁抵抗の測定方法を示す模式図である。
【発明を実施するための形態】
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１３】
〔第一の実施形態〕
＜外観構成＞
図１は、本発明の第一の実施形態に係る配線切替器の外観構成を示す模式図である。
配線切替器１は、配線類を収容するケース１０と、メガリングフィルタの各リード線が接続されるフィルタ側端子群２０と、対地間における絶縁抵抗の測定と相間における絶縁抵抗の測定とを切り替える対地・相間選択スイッチ４０と、絶縁抵抗計と接続するメガリングフィルタを切り替えるメガリングフィルタ選択スイッチ（以下、ＭＦ選択スイッチ５０）と、絶縁抵抗計と接続される絶縁抵抗計側端子３０と、を備える。
【００１４】
フィルタ側端子群２０は、第一メガリングフィルタ１００Ａに接続される第一フィルタ側端子２１と、第二メガリングフィルタ１００Ｂに接続される第二フィルタ側端子２２と、を備える（図４（ｂ）参照）。第一フィルタ側端子２１は、第一メガリングフィルタ１００Ａのアース側リード線１０７Ｅが接続される第一フィルタ側アース端子２１Ｅと、第一メガリングフィルタ１００Ａのライン側リード線１０７Ｌが接続される第一フィルタ側ライン端子２１Ｌとを備える。第二フィルタ側端子２２は、第二メガリングフィルタ１００Ｂのアース側リード線１０７Ｅが接続される第二フィルタ側アース端子２２Ｅと、第二メガリングフィルタ１００Ｂのライン側リード線１０７Ｌが接続される第二フィルタ側ライン端子２２Ｌとを備える。
【００１５】
対地・相間選択スイッチ４０は、対地間における絶縁抵抗測定に対応した回路を形成する対地接続と、相間における絶縁抵抗測定に対応した回路を形成する相間接続と、を切り替えるスイッチであり、少なくとも「対地」、「相間」の２種類の接続状態を有する。なお、対地・相間選択スイッチ４０は任意で更に「ＯＦＦ」の接続状態を有してもよい。
【００１６】
ＭＦ選択スイッチ５０は、絶縁抵抗計側アース端子３０Ｅと絶縁抵抗計側ライン端子３０Ｌとに対して、第一のメガリングフィルタと第二のメガリングフィルタの何れを接続するかを切り替えるスイッチであり、少なくとも２種類の接続状態（ここでは「ＭＦ１」、「ＭＦ２」）を有する。なお、ＭＦ選択スイッチ５０は任意で更に「ＯＦＦ」の接続状態を有してもよい。
【００１７】
絶縁抵抗計側端子３０は、絶縁抵抗計２００のアース接続部２０１Ｅ（図４（ａ）参照）と接続される絶縁抵抗計側アース端子３０Ｅと、絶縁抵抗計２００のライン接続部２０１Ｌと接続される絶縁抵抗計側ライン端子３０Ｌとを備える。
【００１８】
＜回路構成＞
図２は、本発明の第一の実施形態に係る配線切替器の回路図である。
以下の説明においては、各選択スイッチが有する小スイッチを切替スイッチと呼称する。また、フィルタ側端子群２０側を一端側、絶縁抵抗計側端子３０側を他端側として説明する。
対地・相間選択スイッチ４０とＭＦ選択スイッチ５０は、フィルタ側のアース端子２１Ｅ、２２Ｅとフィルタ側のライン端子２１Ｌ、２２Ｌとを、絶縁抵抗計側アース端子３０Ｅと絶縁抵抗計側ライン端子３０Ｌに選択的に導通させる接続選択スイッチを構成する。両スイッチは、一本のメガリングフィルタに接続されたフィルタ側アース端子とフィルタ側ライン端子とを夫々絶縁抵抗計側アース端子３０Ｅと絶縁抵抗計側ライン端子３０Ｌに導通させるか、又は、一のメガリングフィルタに接続されたフィルタ側ライン端子と他のメガリングフィルタに接続されたフィルタ側ライン端子とを夫々絶縁抵抗計側アース端子３０Ｅと絶縁抵抗計側ライン端子３０Ｌに導通させるか、を切り替える。
【００１９】
＜＜対地・相間選択スイッチ＞＞
対地・相間選択スイッチ４０は、第一対地・相間切替スイッチ４１と第二対地・相間切替スイッチ４２とを備える。
第一対地・相間切替スイッチ４１は、一端に開放端子４１ａと、第一フィルタ側アース端子２１Ｅと接続された接続端子４１Ｅと、第二フィルタ側ライン端子２２Ｌと接続された接続端子４１Ｌとを備える。また、第一対地・相間切替スイッチ４１は、他端にＭＦ選択スイッチ５０と接続した接続端子４１ｂを備える。第一対地・相間切替スイッチ４１は、開放端子４１ａと接続端子４１Ｅ、４１Ｌの何れを接続端子４１ｂに導通させるかを切り替える手段である。
第一対地・相間切替スイッチ４１は「対地」を選択された場合に接続端子４１Ｅを接続端子４１ｂに導通させ、「相間」を選択された場合に接続端子４１Ｌを接続端子４１ｂに導通させる。また、第一対地・相間切替スイッチ４１は「ＯＦＦ」を選択された場合に開放端子４１ａを接続端子４１ｂに導通させる。
【００２０】
第二対地・相間切替スイッチ４２は、一端に開放端子４２ａと、第二フィルタ側アース端子２２Ｅと接続された接続端子４２Ｅと、第一フィルタ側ライン端子２１Ｌと接続された接続端子４２Ｌとを備える。また、第二対地・相間切替スイッチ４２は、他端にＭＦ選択スイッチ５０と接続した接続端子４２ｂを備える。第二対地・相間切替スイッチ４２は、開放端子４２ａと接続端子４２Ｅ、４２Ｌの何れを接続端子４２ｂに導通させるかを切り替える手段である。
第二対地・相間切替スイッチ４２は「対地」を選択された場合に接続端子４２Ｅを接続端子４２ｂに導通させ、「相間」を選択された場合に接続端子４２Ｌを接続端子４２ｂに導通させる。また、第二対地・相間切替スイッチ４２は「ＯＦＦ」を選択された場合に開放端子４２ａを接続端子４２ｂに導通させる。
【００２１】
対地・相間選択スイッチ４０は、接続可能なメガリングフィルタの個数に応じた数量の切替スイッチを備える。本例に示す配線切替器１は２つのメガリングフィルタを接続可能であるため、対地・相間選択スイッチ４０は２つの切替スイッチ４１、４２を備える。
第一対地・相間切替スイッチ４１と第二対地・相間切替スイッチ４２とは並列に配置されており、連動する。即ち、第一対地・相間切替スイッチ４１が接続端子４１Ｅを接続端子４１ｂに接続する場合に第二対地・相間切替スイッチ４２は接続端子４２Ｅを接続端子４２ｂに接続し、第一対地・相間切替スイッチ４１が接続端子４１Ｌを接続端子４１ｂに接続する場合に第二対地・相間切替スイッチ４２は接続端子４２Ｌを接続端子４２ｂに接続し、第一対地・相間切替スイッチ４１が開放端子４１ａを接続端子４１ｂに接続する場合に第二対地・相間切替スイッチ４２は開放端子４２ａを接続端子４２ｂに接続する。
【００２２】
＜＜ＭＦ選択スイッチ＞＞
ＭＦ選択スイッチ５０は、第一メガリングフィルタ切替スイッチ（以下「第一ＭＦ切替スイッチ」と略記する）５１と第二メガリングフィルタ切替スイッチ（以下「第二ＭＦ切替スイッチ」と略記する）５２とを備える。
第一ＭＦ切替スイッチ５１の一端は対地・相間選択スイッチ４０と接続し、他端は絶縁抵抗計側アース端子３０Ｅに接続される。
第一ＭＦ切替スイッチ５１は、一端に開放端子５１ａと、対地・相間選択スイッチ４０の接続端子４１ｂと接続された接続端子５１ｃと、対地・相間選択スイッチ４０の接続端子４２ｂと接続された接続端子５１ｄと、を備える。第一ＭＦ切替スイッチ５１は、他端に絶縁抵抗計側アース端子３０Ｅと接続された接続端子５１ｂを備える。第一ＭＦ切替スイッチ５１は、開放端子５１ａと接続端子５１ｃ、５１ｄの何れを接続端子５１ｂに導通させるかを切り替える手段である。
第一ＭＦ切替スイッチ５１は、「ＭＦ１」を選択された場合に接続端子５１ｃを接続端子５１ｂに導通させ、「ＭＦ２」を選択された場合に接続端子５１ｄを接続端子５１ｂに導通させる。また、第一ＭＦ切替スイッチ５１は「ＯＦＦ」を選択された場合に開放端子５１ａを接続端子５１ｂに導通させる。
【００２３】
第二ＭＦ切替スイッチ５２の一端は第一フィルタ側ライン端子２１Ｌと第二フィルタ側ライン端子２２Ｌに接続し、他端は絶縁抵抗計側ライン端子３０Ｌに接続される。
第二ＭＦ切替スイッチ５２は、一端に開放端子５２ａと、第一フィルタ側ライン端子２１Ｌと接続された接続端子５２ｃと、第二フィルタ側ライン端子２２Ｌと接続された接続端子５２ｄと、を備える。第二ＭＦ切替スイッチ５２は、他端に絶縁抵抗計側ライン端子３０Ｌと接続された接続端子５２ｂを備える。第二ＭＦ切替スイッチ５２は、開放端子５２ａと接続端子５２ｃ、５２ｄの何れを接続端子５２ｂに導通させるかを切り替える手段である。
第二ＭＦ切替スイッチ５２は、「ＭＦ１」を選択された場合に接続端子５２ｃを接続端子５２ｂに導通させ、「ＭＦ２」を選択された場合に接続端子５２ｄを接続端子５２ｂに導通させる。また、第二ＭＦ切替スイッチ５２は「ＯＦＦ」を選択された場合に開放端子５２ａを接続端子５２ｂに導通させる。
【００２４】
ＭＦ選択スイッチ５０を構成する各切替スイッチ５１、５２は、その一端に、配線切替器１が接続可能なメガリングフィルタの個数に応じた数量の接続端子を備える。本例に示す配線切替器１は２つのメガリングフィルタを接続可能であるため、各切替スイッチ５１、５２は一端に少なくとも２つの接続端子（５１ｃ〜５１ｄ、５２ｃ〜５２ｄ）を備える。本例に示す各切替スイッチ５１、５２の一端には、開放端子（５１ａ、５２ａ）を含めて合計３つの端子が設けられる。
第一ＭＦ切替スイッチ５１と第二ＭＦ切替スイッチ５２とは並列に配置されており、連動する。即ち、第一ＭＦ切替スイッチ５１が接続端子５１ｃを接続端子５１ｂに接続する場合に第二ＭＦ切替スイッチ５２は接続端子５２ｃを接続端子５２ｂに接続し、第一ＭＦ切替スイッチ５１が接続端子５１ｄを接続端子５１ｂに接続する場合に第二ＭＦ切替スイッチ５２は接続端子５２ｄを接続端子５２ｂに接続し、第一ＭＦ切替スイッチ５１が開放端子５１ａを接続端子５１ｂに接続する場合に第二ＭＦ切替スイッチ５２は開放端子５２ａを接続端子５２ｂに接続する。
【００２５】
＜対地・相間選択スイッチとＭＦ選択スイッチとの関係＞
以下、「端子の種別」を、「アース」又は「ライン」の別として説明する。
対地・相間選択スイッチ４０は、「対地」を選択された場合に、第二ＭＦ切替スイッチ５２の一端に接続された種別の端子（フィルタ側ライン端子２１Ｌ、２２Ｌ）とは異なる種別の端子（フィルタ側アース端子２１Ｅ、２２Ｅの何れか）を第一ＭＦ切替スイッチ５１に導通させるように構成されている。また、対地・相間選択スイッチ４０は、「相間」を選択された場合に、第二ＭＦ切替スイッチ５２の一端に接続された種別の端子（フィルタ側ライン端子２１Ｌ、２２Ｌ）と同一種別の端子（フィルタ側ライン端子２１Ｌ、２２Ｌの何れか）を第一ＭＦ切替スイッチ５１に導通させるように構成されている。
このように構成することで、ＭＦ選択スイッチ５０は、対地・相間選択スイッチ４０が「対地」を選択する場合に、第一フィルタ側端子２１と第二フィルタ側端子２２の何れかを絶縁抵抗計側端子３０に導通させることができる。また、ＭＦ選択スイッチ５０は、対地・相間選択スイッチ４０が「相間」を選択する場合に、第一フィルタ側ライン端子２１Ｌと第二フィルタ側ライン端子２２Ｌを絶縁抵抗計側端子３０に導通させることができる。
【００２６】
各対地・相間切替スイッチ４１、４２の一端には、夫々フィルタ側アース端子とフィルタ側ライン端子とが接続されるが、一の対地・相間切替スイッチに対しては、異なるメガリングフィルタと接続するフィルタ側アース端子とフィルタ側ライン端子とが接続される。
即ち、例えば、第一対地・相間切替スイッチ４１の一端に設けた接続端子４１Ｅ、４１Ｌには、フィルタ側アース端子２１Ｅ、フィルタ側ライン端子２１Ｌが夫々接続される。フィルタ側アース端子２１Ｅは第一メガリングフィルタのアース側リード線と接続し、フィルタ側ライン端子２１Ｌは第二メガリングフィルタのライン側リード線と接続される。第二対地・相間切替スイッチ４２については説明を省略する。
このように構成することで、ＭＦ選択スイッチ５０を構成する第一ＭＦ切替スイッチ５１と第二ＭＦ切替スイッチ５２とを連動させることができる。即ち、対地・相間選択スイッチ４０によって「対地」、「相間」の何れが選択された場合であっても、ＭＦ選択スイッチ５０内部の連動動作を変更することなく、対地間における絶縁抵抗測定に対応した回路と、相間における絶縁抵抗測定に対応した回路とを形成することができる。
【００２７】
＜動作＞
図３（ａ）〜（ｄ）は、配線切替器の導通相関表を示す図である。
図３（ａ）は、対地・相間選択スイッチ４０が「対地」を選択し、ＭＦ選択スイッチ５０が「ＭＦ１」を選択した場合の電気的な接続関係を示している。
この場合、第一フィルタ側アース端子２１Ｅが絶縁抵抗計側アース端子３０Ｅに電気的に接続され、第一フィルタ側ライン端子２１Ｌが絶縁抵抗計側ライン端子３０Ｌに電気的に接続される。即ち、第一フィルタ側端子２１に接続されたメガリングフィルタを用いた対地間絶縁抵抗の測定が可能である。
【００２８】
図３（ｂ）は、対地・相間選択スイッチ４０が「対地」を選択し、ＭＦ選択スイッチ５０が「ＭＦ２」を選択した場合の電気的な接続関係を示している。
この場合、第二フィルタ側アース端子２２Ｅが絶縁抵抗計側アース端子３０Ｅに電気的に接続され、第二フィルタ側ライン端子２２Ｌが絶縁抵抗計側ライン端子３０Ｌに電気的に接続される。即ち、第二フィルタ側端子２２に接続されたメガリングフィルタを用いた対地間絶縁抵抗の測定が可能である。
【００２９】
図３（ｃ）は、対地・相間選択スイッチ４０が「相間」を選択し、ＭＦ選択スイッチ５０が「ＭＦ１」を選択した場合の電気的な接続関係を示している。
この場合、第二フィルタ側ライン端子２２Ｌが絶縁抵抗計側アース端子３０Ｅに電気的に接続され、第一フィルタ側ライン端子２１Ｌが絶縁抵抗計側ライン端子３０Ｌに電気的に接続される。即ち、第一フィルタ側ライン端子２１Ｌに接続されたメガリングフィルタを高圧側、第二フィルタ側ライン端子２２Ｌに接続されたメガリングフィルタを低圧側として、相間絶縁抵抗の測定が可能である。
【００３０】
図３（ｃ）は、対地・相間選択スイッチ４０が「相間」を選択し、ＭＦ選択スイッチ５０が「ＭＦ２」を選択した場合の電気的な接続関係を示している。
この場合、第一フィルタ側ライン端子２１Ｌが絶縁抵抗計側アース端子３０Ｅに電気的に接続され、第二フィルタ側ライン端子２２Ｌが絶縁抵抗計側ライン端子３０Ｌに電気的に接続される。即ち、第二フィルタ側ライン端子２２Ｌに接続されたメガリングフィルタを高圧側、第一フィルタ側ライン端子２１Ｌに接続されたメガリングフィルタを低圧側として、相間絶縁抵抗の測定が可能である。
【００３１】
図３（ａ）、（ｂ）に示すように、対地間絶縁抵抗を測定する場合におけるＭＦ選択スイッチ５０は、対地間測定に使用するメガリングフィルタを選択するスイッチとして機能する。
図３（ｃ）、（ｄ）に示すように、相間絶縁抵抗を測定する場合におけるＭＦ選択スイッチ５０は、電圧を印加する側となるメガリングフィルタを選択するスイッチとして機能する。
【００３２】
＜使用方法＞
図４（ａ）、（ｂ）は、本発明の一実施形態に係る配線切替器を用いた絶縁抵抗の測定方法を示す模式図である。図４（ａ）は対地間における絶縁抵抗の測定方法を示し、（ｂ）は相間における絶縁抵抗の測定方法を示す。
【００３３】
＜＜配線＞＞
図４（ａ）に示すように、測定対象線路（架線）１５０Ａと大地との間における絶縁抵抗を測定する場合には、１本のメガリングフィルタ１００Ａを使用する。しかし、もう１本のメガリングフィルタ１００Ｂも、対地間絶縁抵抗を測定する前に予め配線を完了させておく。
即ち、まず、配線切替器１の対地・相間選択スイッチ４０とＭＦ選択スイッチ５０とが共に「ＯＦＦ」となっていることを確認し、配線切替器１の絶縁抵抗計側アース端子３０Ｅと絶縁抵抗計側ライン端子３０Ｌとをリード線等により夫々、絶縁台２１０に載置された絶縁抵抗計２００のアース接続部２０１Ｅとライン接続部２０１Ｌに夫々接続する。
続いて、メガリングフィルタ１００Ａのライン側リード線１０７Ｌとアース側リード線１０７Ｅとを夫々配線切替器１の第一フィルタ側アース端子２１Ｅと第一フィルタ側ライン端子２１Ｌに夫々接続する。同様に、メガリングフィルタ１００Ｂのライン側リード線１０７Ｌとアース側リード線１０７Ｅとを夫々配線切替器１の第二フィルタ側アース端子２２Ｅと第二フィルタ側ライン端子２２Ｌに夫々接続する。両メガリングフィルタ１００Ａ、１００Ｂの接地端子１０５、１０５を接地する。
【００３４】
＜＜対地間測定＞＞
第一メガリングフィルタ１００Ａの架線用端子１０３を測定対象線路１５０Ａに係止することにより、架線用端子１０３を測定対象線路１５０Ａに電気的に接続する。配線切替器１の対地・相間選択スイッチ４０を「対地」に設定し、ＭＦ選択スイッチ５０を「ＭＦ１」に設定する。絶縁抵抗計２００から所定の電圧を印加することにより対地間の絶縁抵抗を測定する。
他の相（他の測定対象線路）の対地絶縁抵抗を続けて実施する場合は、以下の作業を繰り返す。即ち、配線切替器１の対地・相間選択スイッチ４０とＭＦ選択スイッチ５０を「ＯＦＦ」に設定する。第一メガリングフィルタ１００Ａの架線用端子１０３を他の測定対象線路に係止すると共に、配線切替器１の対地・相間選択スイッチ４０を「対地」に、ＭＦ選択スイッチ５０を「ＭＦ１」に設定して、絶縁抵抗計２００から所定の電圧を印加することにより対地間の絶縁抵抗を測定する。
【００３５】
＜＜相間測定＞＞
図４（ｂ）に示すように、２つの測定対象線路（架線）１５０Ａ、１５０Ｂ間における絶縁抵抗を測定する場合は、２本のメガリングフィルタ１００Ａ、１００Ｂを使用するが配線変更の必要はない。
即ち、まず、配線切替器１の対地・相間選択スイッチ４０とＭＦ選択スイッチ５０とが共に「ＯＦＦ」となっていることを確認する。第一メガリングフィルタ１００Ａの架線用端子１０３を測定対象線路１５０Ａに係止し、第二メガリングフィルタ１００Ｂの架線用端子１０３を測定対象線路１５０Ｂに係止することにより、両架線用端子１０３、１０３を夫々測定対象線路１５０Ａ、１５０Ｂに電気的に接続する。配線切替器１の対地・相間選択スイッチ４０を「相間」に設定し、ＭＦ選択スイッチ５０を「ＭＦ１」又は「ＭＦ２」に設定する。絶縁抵抗計２００から所定の電圧を印加することにより測定対象線路１５０Ａ、１５０Ｂ間の絶縁抵抗を測定する。
【００３６】
異なる相間（異なる測定対象線路間）の絶縁抵抗を続けて実施する場合は、以下の作業を繰り返す。即ち、配線切替器１の対地・相間選択スイッチ４０とＭＦ選択スイッチ５０を「ＯＦＦ」に設定する。第二メガリングフィルタ１００Ｂの架線用端子１０３を他の測定対象線路に係止すると共に、配線切替器１の対地・相間選択スイッチ４０を「相間」に、ＭＦ選択スイッチ５０を「ＭＦ１」又は「ＭＦ２」に設定して、絶縁抵抗計２００から所定の電圧を印加することにより相間の絶縁抵抗を測定する。
【００３７】
＜効果＞
このように本実施形態によれば、対地間における絶縁抵抗測定時と相間における絶縁抵抗測定時とにおいて配線を変更する必要がないため、作業上の安全性を高めると共に、作業時間の短縮を図ることができる。
本実施形態においては、配線切替器と絶縁抵抗計とを別個独立の構成としたが、両者を一体化させて絶縁抵抗測定装置を構成してもよい。
【００３８】
〔第二の実施形態〕
＜外観構成＞
図５は、本発明の第二の実施形態に係る配線切替器の外観構成を示す模式図である。本実施形態に係る配線切替器は、３つのメガリングフィルタを一度に配線できる点に特徴がある。以下、第一の実施形態と同様の部材には同一の符号を付して適宜その説明を省略する。
【００３９】
配線切替器２は、フィルタ側端子群２０として、第三のメガリングフィルタに接続される第三フィルタ側端子２３を備える。第三フィルタ側端子２３は、第三フィルタ側アース端子２３Ｅと第三フィルタ側ライン端子２３Ｌとを備える。
ＭＦ選択スイッチ５０は少なくとも「ＭＦ１」、「ＭＦ２」、「ＭＦ３」の３種類の接続状態を有する。本例においても、ＭＦ選択スイッチ５０は任意で更に「ＯＦＦ」の接続状態を有してもよい。
【００４０】
＜回路構成＞
図６は、本発明の第二の実施形態に係る配線切替器の回路図である。
【００４１】
＜＜対地・相間選択スイッチ＞＞
対地・相間選択スイッチ４０は、第一対地・相間切替スイッチ４１と第二対地・相間切替スイッチ４２と第三対地・相間切替スイッチ４３を備える。
第一対地・相間切替スイッチ４１の構成は、第一の実施形態と同様であるため、詳細な説明を省略する。
第一対地・相間切替スイッチ４１は「対地」を選択された場合に接続端子４１Ｅを接続端子４１ｂに導通させ、「相間」を選択された場合に接続端子４１Ｌを接続端子４１ｂに導通させる。また、第一対地・相間切替スイッチ４１は「ＯＦＦ」を選択された場合に開放端子４１ａを接続端子４１ｂに導通させる。
【００４２】
第二対地・相間切替スイッチ４２の接続端子４２Ｌには第三フィルタ側ライン端子２３Ｌが接続されている点で第一の実施形態とは構成が異なる。
第二対地・相間切替スイッチ４２は「対地」を選択された場合に接続端子４２Ｅを接続端子４２ｂに導通させ、「相間」を選択された場合に接続端子４２Ｌを接続端子４２ｂに導通させる。また、第二対地・相間切替スイッチ４２は「ＯＦＦ」を選択された場合に開放端子４２ａを接続端子４２ｂに導通させる。
【００４３】
第三対地・相間切替スイッチ４３は、一端に開放端子４３ａと、第三フィルタ側アース端子２３Ｅと接続された接続端子４３Ｅと、第一フィルタ側ライン端子２１Ｌと接続された接続端子４３Ｌとを備える。また、第三対地・相間切替スイッチ４３は、他端にＭＦ選択スイッチ５０と接続した接続端子４３ｂを備える。第三対地・相間切替スイッチ４３は、開放端子４３ａと接続端子４３Ｅ、４３Ｌの何れを接続端子４３ｂに導通させるかを切り替える手段である。
第三対地・相間切替スイッチ４３は「対地」を選択された場合に接続端子４３Ｅを接続端子４３ｂに導通させ、「相間」を選択された場合に接続端子４３Ｌを接続端子４３ｂに導通させる。また、第三対地・相間切替スイッチ４３は「ＯＦＦ」を選択された場合に開放端子４３ａを接続端子４３ｂに導通させる。
【００４４】
対地・相間選択スイッチ４０は、接続可能なメガリングフィルタの個数に応じた数量の切替スイッチを備える。本例に示す配線切替器２は３つのメガリングフィルタを接続可能であるため、対地・相間選択スイッチ４０は３つの切替スイッチ４１〜４３を備える。
第一対地・相間切替スイッチ４１〜第三対地・相間切替スイッチ４３は並列に配置されており、連動する。即ち、第一対地・相間切替スイッチ４１が接続端子４１Ｅを接続端子４１ｂに接続する場合に、第二対地・相間切替スイッチ４２は接続端子４２Ｅを接続端子４２ｂに接続し、第三対地・相間切替スイッチ４３は接続端子４３Ｅを接続端子４３ｂに接続する。第一対地・相間切替スイッチ４１が接続端子４１Ｌを接続端子４１ｂに接続する場合に、第二対地・相間切替スイッチ４２は接続端子４２Ｌを接続端子４２ｂに接続し、第三対地・相間切替スイッチ４３は接続端子４３Ｌを接続端子４３ｂに接続する。第一対地・相間切替スイッチ４１が開放端子４１ａを接続端子４１ｂに接続する場合に、第二対地・相間切替スイッチ４２は開放端子４２ａを接続端子４２ｂに接続し、第三対地・相間切替スイッチ４３は開放端子４３ａを接続端子４３ｂに接続する。
【００４５】
＜＜ＭＦ選択スイッチ＞＞
ＭＦ選択スイッチ５０は、第一ＭＦ切替スイッチ５１と第二ＭＦ切替スイッチ５２とを備える。
第一ＭＦ切替スイッチ５１の一端は対地・相間選択スイッチ４０と接続し、他端は絶縁抵抗計側アース端子３０Ｅに接続される。
第一ＭＦ切替スイッチ５１は、第一の実施形態の構成に加えて、その一端に、対地・相間選択スイッチ４０の接続端子４３ｂと接続された接続端子５１ｅを備える。第一ＭＦ切替スイッチ５１は、開放端子５１ａと接続端子５１ｃ〜５１ｅの何れを接続端子５１ｂに導通させるかを切り替える手段である。
第一ＭＦ切替スイッチ５１は、「ＭＦ１」を選択された場合に接続端子５１ｃを接続端子５１ｂに導通させ、「ＭＦ２」を選択された場合に接続端子５１ｄを接続端子５１ｂに導通させ、「ＭＦ３」を選択された場合に接続端子５１ｅを接続端子５１ｂに導通させる。また、第一ＭＦ切替スイッチ５１は「ＯＦＦ」を選択された場合に開放端子５１ａを接続端子５１ｂに導通させる。
【００４６】
第二ＭＦ切替スイッチ５２の一端は第一乃至第三フィルタ側ライン端子２１Ｌ〜２３Ｌに接続し、他端は絶縁抵抗計側ライン端子３０Ｌに接続される。
第二ＭＦ切替スイッチ５２は、第一の実施形態の構成に加えて、その一端に、第三フィルタ側ライン端子２３Ｌと接続された接続端子５２ｅを備える。第二ＭＦ切替スイッチ５２は、開放端子５２ａと接続端子５２ｃ〜５２ｅの何れを接続端子５２ｂに導通させるかを切り替える手段である。
第二ＭＦ切替スイッチ５２は、「ＭＦ１」を選択された場合に接続端子５２ｃを接続端子５２ｂに導通させ、「ＭＦ２」を選択された場合に接続端子５２ｄを接続端子５２ｂに導通させ、「ＭＦ３」を選択された場合に接続端子５２ｅを接続端子５２ｂに導通させる。また、第二ＭＦ切替スイッチ５２は「ＯＦＦ」を選択された場合に開放端子５２ａを接続端子５２ｂに導通させる。
【００４７】
ＭＦ選択スイッチ５０を構成する各切替スイッチ５１、５２は、その一端に、配線切替器２が接続可能なメガリングフィルタの個数に応じた数量の接続端子を備える。本例に示す配線切替器２は３つのメガリングフィルタを接続可能であるため、各切替スイッチ５１〜５３は一端に少なくとも３つの接続端子（５１ｃ〜５１ｅ、５２ｃ〜５２ｅ、５３ｃ〜５３ｅ）を備える。本例に示す各切替スイッチ５１〜５３の一端には、開放端子（５１ａ、５２ａ、５３ａ）を含めて合計４つの端子が設けられる。
第一ＭＦ切替スイッチ５１と第二ＭＦ切替スイッチ５２とは連動する。即ち、第一ＭＦ切替スイッチ５１が接続端子５１ｃを接続端子５１ｂに接続する場合に、第二ＭＦ切替スイッチ５２は接続端子５２ｃを接続端子５２ｂに接続する。第一ＭＦ切替スイッチ５１が接続端子５１ｄを接続端子５１ｂに接続する場合に、第二ＭＦ切替スイッチ５２は接続端子５２ｄを接続端子５２ｂに接続する。第一ＭＦ切替スイッチ５１が接続端子５１ｅを接続端子５１ｂに接続する場合に、第二ＭＦ切替スイッチ５２は接続端子５２ｅを接続端子５２ｂに接続する。第一ＭＦ切替スイッチ５１が開放端子５１ａを接続端子５１ｂに接続する場合に第二ＭＦ切替スイッチ５２は開放端子５２ａを接続端子５２ｂに接続する。
対地・相間選択スイッチとＭＦ選択スイッチとの関係は、第一の実施形態と同様であるため、その説明を省略する。
【００４８】
＜動作＞
図７（ａ）〜（ｆ）は、配線切替器の導通相関表を示す図である。
図７（ａ）は、対地・相間選択スイッチ４０が「対地」を選択し、ＭＦ選択スイッチ５０が「ＭＦ１」を選択した場合の電気的な接続関係を示している。
この場合、第一フィルタ側アース端子２１Ｅが絶縁抵抗計側アース端子３０Ｅに電気的に接続され、第一フィルタ側ライン端子２１Ｌが絶縁抵抗計側ライン端子３０Ｌに電気的に接続される。即ち、第一フィルタ側端子２１に接続されたメガリングフィルタを用いた対地間絶縁抵抗の測定が可能である。
【００４９】
図７（ｂ）は、対地・相間選択スイッチ４０が「対地」を選択し、ＭＦ選択スイッチ５０が「ＭＦ２」を選択した場合の電気的な接続関係を示している。
この場合、第二フィルタ側アース端子２２Ｅが絶縁抵抗計側アース端子３０Ｅに電気的に接続され、第二フィルタ側ライン端子２２Ｌが絶縁抵抗計側ライン端子３０Ｌに電気的に接続される。即ち、第二フィルタ側端子２２に接続されたメガリングフィルタを用いた対地間絶縁抵抗の測定が可能である。
【００５０】
図７（ｃ）は、対地・相間選択スイッチ４０が「対地」を選択し、ＭＦ選択スイッチ５０が「ＭＦ３」を選択した場合の電気的な接続関係を示している。
この場合、第三フィルタ側アース端子２３Ｅが絶縁抵抗計側アース端子３０Ｅに電気的に接続され、第三フィルタ側ライン端子２３Ｌが絶縁抵抗計側ライン端子３０Ｌに電気的に接続される。即ち、第三フィルタ側端子２３に接続されたメガリングフィルタを用いた対地間絶縁抵抗の測定が可能である。
【００５１】
図７（ｄ）は、対地・相間選択スイッチ４０が「相間」を選択し、ＭＦ選択スイッチ５０が「ＭＦ１」を選択した場合の電気的な接続関係を示している。
この場合、第二フィルタ側ライン端子２２Ｌが絶縁抵抗計側アース端子３０Ｅに電気的に接続され、第一フィルタ側ライン端子２１Ｌが絶縁抵抗計側ライン端子３０Ｌに電気的に接続される。即ち、第一フィルタ側ライン端子２１Ｌに接続されたメガリングフィルタを高圧側、第二フィルタ側ライン端子２２Ｌに接続されたメガリングフィルタを低圧側として、相間絶縁抵抗の測定が可能である。
【００５２】
図７（ｅ）は、対地・相間選択スイッチ４０が「相間」を選択し、ＭＦ選択スイッチ５０が「ＭＦ２」を選択した場合の電気的な接続関係を示している。
この場合、第三フィルタ側ライン端子２３Ｌが絶縁抵抗計側アース端子３０Ｅに電気的に接続され、第二フィルタ側ライン端子２２Ｌが絶縁抵抗計側ライン端子３０Ｌに電気的に接続される。即ち、第二フィルタ側ライン端子２２Ｌに接続されたメガリングフィルタを高圧側、第三フィルタ側ライン端子２３Ｌに接続されたメガリングフィルタを低圧側として、相間絶縁抵抗の測定が可能である。
【００５３】
図７（ｆ）は、対地・相間選択スイッチ４０が「相間」を選択し、ＭＦ選択スイッチ５０が「ＭＦ３」を選択した場合の電気的な接続関係を示している。
この場合、第一フィルタ側ライン端子２１Ｌが絶縁抵抗計側アース端子３０Ｅに電気的に接続され、第三フィルタ側ライン端子２３Ｌが絶縁抵抗計側ライン端子３０Ｌに電気的に接続される。即ち、第三フィルタ側ライン端子２３Ｌに接続されたメガリングフィルタを高圧側、第一フィルタ側ライン端子２１Ｌに接続されたメガリングフィルタを低圧側として、相間絶縁抵抗の測定が可能である。
【００５４】
図７（ａ）〜（ｃ）に示すように、対地間絶縁抵抗を測定する場合におけるＭＦ選択スイッチ５０は、対地間測定に使用するメガリングフィルタを選択するスイッチとして機能する。
図７（ｄ）〜（ｆ）に示すように、相間絶縁抵抗を測定する場合におけるＭＦ選択スイッチ５０は、電圧を印加する側となるメガリングフィルタを選択するスイッチとして機能する。
【００５５】
＜使用方法・効果＞
使用方法については第一の実施形態と同様であるため、その説明を省略する。
このように本実施形態によれば、対地間における絶縁抵抗測定時と相間における絶縁抵抗測定時とにおいて配線を変更する必要がないため、作業上の安全性を高めると共に、作業時間の短縮を図ることができる。
本実施形態においては、配線切替器と絶縁抵抗計とを別個独立の構成としたが、両者を一体化させて絶縁抵抗測定装置を構成してもよい。
【００５６】
〔変形実施形態〕
上記各実施形態においては、第二ＭＦ切替スイッチ５２の一端に設けた各接続端子５２ｃ、５２ｄ（、５２ｄ）に対して、フィルタ側ライン端子２１Ｌ、２２Ｌ（、２３Ｌ）を接続する構成とした。
しかし、第二ＭＦ切替スイッチ５２の一端に、フィルタ側アース端子２１Ｅ、２２Ｅ（、２３Ｅ）を接続する構成としてもよい。この場合、第二ＭＦ切替スイッチ５２の他端に設けた接続端子５２ｂに対して、絶縁抵抗計側アース端子３０Ｅを接続し、第一ＭＦ切替スイッチ５１の他端に設けた接続端子５２ｂに対して、絶縁抵抗計側ライン端子３０Ｌを接続する。更に、対地・相間選択スイッチ４０は、対地接続を選択された場合に第二ＭＦ切替スイッチの一端に接続された種別の端子（フィルタ側アース端子２１Ｅ、２２Ｅ（、２３Ｅ））と異なる種別の端子（フィルタ側ライン端子２１Ｌ、２２Ｌ（、２３Ｌ））を第一ＭＦ切替スイッチ５１に導通させ、相間接続を選択された場合に第二ＭＦ切替スイッチ５２の一端に接続された種別の端子と同一種別の端子（フィルタ側アース端子２１Ｅ、２２Ｅ（、２３Ｅ））を第一ＭＦ切替スイッチ５１に導通させるように構成する。
【００５７】
〔本発明の実施態様例と作用、効果のまとめ〕
＜第一の実施態様＞
本態様は、接地点に接続されるアース側リード線１０７Ｅ、及び、抵抗Ｒ１〜Ｒ３、Ｒを介して架線（測定対象線路１５０、１５０Ａ、１５０Ｂ）と接続されるライン側リード線１０７Ｌを備えた複数のメガリングフィルタ１００（１００Ａ、１００Ｂ）と、架線と大地との間又は２本の架線間における絶縁抵抗を測定する絶縁抵抗計２００と、の間に挿入される配線切替器１、２である。
配線切替器は、一端側に、各メガリングフィルタのアース側リード線と接続される複数のフィルタ側アース端子２１Ｅ〜２３Ｅと、各メガリングフィルタのライン側リード線と接続される複数のフィルタ側ライン端子２１Ｌ〜２３Ｌと、を備える。
配線切替器は、他端側に、絶縁抵抗計のアース接続部２０１Ｅと接続される絶縁抵抗計側アース端子３０Ｅと、絶縁抵抗計のライン接続部２０１Ｌと接続される絶縁抵抗計側ライン端子３０Ｌと、を備える。
配線切替器は、絶縁抵抗計側アース端子と絶縁抵抗計側ライン端子に対して、夫々、各フィルタ側アース端子と各フィルタ側ライン端子との中から一の端子を選択的に導通させる接続選択スイッチ（対地・相間選択スイッチ４０とＭＦ選択スイッチ５０）を備える。接続選択スイッチは、一のメガリングフィルタに接続されたフィルタ側アース端子とフィルタ側ライン端子とを夫々絶縁抵抗計側アース端子と絶縁抵抗計側ライン端子に導通させるか、又は、一のメガリングフィルタに接続されたフィルタ側ライン端子と他のメガリングフィルタに接続されたフィルタ側ライン端子とを夫々絶縁抵抗計側アース端子と絶縁抵抗計側ライン端子に導通させるか、を切り替えることを特徴とする。
【００５８】
本態様によれば、配線変更をせずに対地間における絶縁抵抗測定と、相間における絶縁抵抗測定を実施可能にすることが可能となる。
即ち、対地間における絶縁抵抗を測定する場合は、同一のメガリングフィルタに接続されたフィルタ側アース端子とフィルタ側ライン端子とを夫々絶縁抵抗計側アース端子と絶縁抵抗計側ライン端子とに導通させる。また、相間における絶縁抵抗を測定する場合は、一のメガリングフィルタに接続されたフィルタ側ライン端子を絶縁抵抗計側アース端子に導通させ、他のメガリングフィルタに接続されたフィルタ側ライン端子を絶縁抵抗計側ライン端子に導通させる。
このように、接続選択スイッチを切り替えることで、配線変更をすることなく、対地間における絶縁抵抗測定と相間における絶縁抵抗測定とを実施できる。
【００５９】
＜第二の実施態様＞
本態様に係る配線切替器１、２において、接続選択スイッチは、対地・相間選択スイッチ４０と、メガリングフィルタ選択スイッチ５０とを備える。
対地・相間選択スイッチは、一端に設けた接続端子４１Ｅ〜４３Ｅ、４１Ｌ〜４３Ｌを各フィルタ側アース端子２１Ｅ〜２３Ｅと各フィルタ側ライン端子２１Ｌ〜２３Ｌとに接続されており、対地接続又は相間接続を切り替えるスイッチである。
メガリングフィルタ選択スイッチは、他端に設けた接続端子５１ｂ、５２ｂを夫々絶縁抵抗計側アース端子３０Ｅと絶縁抵抗計側ライン端子３０Ｌとに接続されており、絶縁抵抗計２００に対して、何れのメガリングフィルタ１００を接続するかを切り替えるスイッチである。
【００６０】
本態様において、対地・相間選択スイッチは、対地間における絶縁抵抗を測定するか、相間における絶縁抵抗を測定するかを選択的に切り替えるスイッチである。一方で、メガリングフィルタ選択スイッチは、対地間又は相間における絶縁抵抗を測定する場合に、何れのメガリングフィルタを使用するかを選択的に切り替えるスイッチである。
本態様によれば、対地・相間選択スイッチとメガリングフィルタ選択スイッチとを適宜切り替えることで、配線変更をすることなく、所望のメガリングフィルタを使用して、対地間における絶縁抵抗測定と相間における絶縁抵抗測定とを実施できる。
【００６１】
＜第三の実施態様＞
本態様に係る配線切替器１、２において、メガリングフィルタ選択スイッチ５０は、第一メガリングフィルタ切替スイッチ５１と第二メガリングフィルタ切替スイッチ５２とを備える。
第一メガリングフィルタ切替スイッチ５１は、一端に設けた接続端子５１ｃ〜５１ｅを対地・相間選択スイッチ４０に接続され、他端に設けた接続端子５１ｂを絶縁抵抗計側アース端子３０Ｅ（又は、絶縁抵抗計側ライン端子３０Ｌ）に接続されている。
第二メガリングフィルタ切替スイッチ５２は、一端に設けた接続端子５２ｃ〜５２ｅを各フィルタ側ライン端子２１Ｌ〜２３Ｌ（又は、各フィルタ側アース端子２１Ｅ〜２３Ｅ）に接続され、他端に設けた接続端子５２ｂを絶縁抵抗計側ライン端子３０Ｌ（又は、絶縁抵抗計側アース端子３０Ｅ）に接続されている。
対地・相間選択スイッチは、対地接続を選択された場合に第二メガリングフィルタ切替スイッチの一端に接続された種別の端子と異なる種別の端子を第一メガリングフィルタ切替スイッチに導通させ、相間接続を選択された場合に第二メガリングフィルタ切替スイッチの一端に接続された種別の端子と同一種別の端子を第一メガリングフィルタ切替スイッチに導通させるように構成されている。
【００６２】
即ち、第二メガリングフィルタ切替スイッチ５２の一端に各フィルタ側ライン端子２１Ｌ〜２３Ｌが接続されている場合に、対地・相間選択スイッチ４０は、対地接続を選択されたときに第二メガリングフィルタ切替スイッチ５２の一端に接続された種別の端子と異なる種別の端子である各フィルタ側アース端子２１Ｅ〜２３Ｅを第一メガリングフィルタ切替スイッチ５１に導通させる。また、上記と同条件の下にある場合に、対地・相間選択スイッチ４０は、相間接続を選択されたときに第二メガリングフィルタ切替スイッチ５２の一端に接続された種別の端子と同一種別の端子である各フィルタ側ライン端子２１Ｌ〜２３Ｌを第一メガリングフィルタ切替スイッチ５１に導通させる。
【００６３】
本態様によれば、対地・相間選択スイッチによって対地接続を選択した場合には、一のメガリングフィルタのアース側リード線とライン側リード線とを絶縁抵抗計に導通させることができ、相間接続を選択した場合には、異なるメガリングフィルタのアース側リード線とライン側リード線とを絶縁抵抗計に導通させることができる。
【００６４】
なお、第一及び第二メガリングフィルタ切替スイッチが連動して動作するように構成することによって、両スイッチの切り替えを一回の操作で実現できると共に、接続ミスを防止できる。
【００６５】
＜第四の実施態様＞
本態様に係る配線切替器１、２において、対地・相間選択スイッチ４０は、並列に配置され、且つ互いに連動する複数の対地・相間切替スイッチ４１〜４３を備えている。そして、各対地・相間切替スイッチの一端は、互いに異なるメガリングフィルタを接続するフィルタ側アース端子とフィルタ側ライン端子とに導通していることを特徴とする。
【００６６】
即ち、例えば、第一対地・相間切替スイッチ４１は、その一端に接続端子４１Ｅと接続端子４１Ｌとを備えており、接続端子４１Ｅはフィルタ側アース端子２１Ｅに導通し、接続端子４１Ｌはフィルタ側ライン端子２２Ｌに導通している。このように、接続端子４１Ｅ、４１Ｌは互いに異なるメガリングフィルタと接続する端子として構成される。
上記構成を採用することによって、各対地・相間切替スイッチは、対地接続を選択した場合と相間接続を選択した場合とで異なるメガリングフィルタをメガリングフィルタ選択スイッチ５０に導通させる。従って、第一及び第二メガリングフィルタ切替スイッチ５１、５２が連動するように構成した場合であっても、対地間における絶縁抵抗の測定をする場合と、相間における絶縁抵抗の測定をする場合とにおける配線変更を実現できる。
【００６７】
＜第五の実施態様＞
本態様に係る絶縁抵抗測定装置は、第一乃至第四の実施態様の何れかに記載された配線切替器１、２と、絶縁抵抗計２００とを備えることを特徴とする。
本態様は、第一乃至第四の実施態様と同様の効果を奏する。
【符号の説明】
【００６８】
１、２…配線切替器、１０…ケース、２０…フィルタ側端子群、２１…第一フィルタ側端子、２１Ｅ…第一フィルタ側アース端子、２１Ｌ…第一フィルタ側ライン端子、２２…第二フィルタ側端子、２２Ｅ…第二フィルタ側アース端子、２２Ｌ…第二フィルタ側ライン端子、２３…第三フィルタ側端子、２３Ｅ…第三フィルタ側アース端子、２３Ｌ…第三フィルタ側ライン端子、３０…絶縁抵抗計側端子、３０Ｅ…絶縁抵抗計側アース端子、３０Ｌ…絶縁抵抗計側ライン端子、４０…対地・相間選択スイッチ、４１…第一対地・相間切替スイッチ、４１ａ…開放端子、４１ｂ、４１Ｅ、４１Ｌ…接続端子、４２…第二対地・相間切替スイッチ、４２ａ…開放端子、４２ｂ、４２Ｅ、４２Ｌ…接続端子、４３…第三対地・相間切替スイッチ、４３ａ…開放端子、４３ｂ、４３Ｅ、４３Ｌ…接続端子、５０…メガリングフィルタ選択スイッチ（ＭＦ選択スイッチ）、５１…第一メガリングフィルタ切替スイッチ（第一ＭＦ切替スイッチ）、５１ａ…開放端子、５１ｂ〜５１ｅ…接続端子、５２…第二メガリングフィルタ切替スイッチ（第二ＭＦ切替スイッチ）、５２ａ…開放端子、５２ｂ〜５２ｅ…接続端子、１００…メガリングフィルタ、１００Ａ…（第一）メガリングフィルタ、１００Ｂ…（第二）メガリングフィルタ、１０１…絶縁棒、１０３…架線用端子、１０５…接地端子、１０７Ｅ…アース側リード線、１０７Ｌ…ライン側リード線、１１１〜１１５…結節点、１５０、１５０Ａ、１５０Ｂ…測定対象線路（架線）、２００…絶縁抵抗計、２０１Ｅ…アース接続部、２０１Ｌ…ライン接続部、２１０…絶縁台
【図１】
2020134358.tif 000003
【図２】
2020134358.tif 000004
【図３】
2020134358.tif 000005
【図４】
2020134358.tif 000006
【図５】
2020134358.tif 000007
【図６】
2020134358.tif 000008
【図７】
2020134358.tif 000009
【図８】
2020134358.tif 000010
【図９】
2020134358.tif 000011